(57)【特許請求の範囲】
【請求項１】
上面に吸気口と排気口を有するケーシング内を、下部が開口する縦仕切板により吸気口側と排気口側とに区画し、前記縦仕切板の開口下部における吸気口側にエアチャンバを、同排気口側に空気熱交換器をそれぞれ設け、駆動用モータの回転軸にファンが取り付けられて空気を水平に吐出する送風装置の吐出口に吐出短管の一端を取り付け、同吐出短管の他端を前記エアチャンバ内に臨ませて前記空気熱交換器の空気流入側に相対させるとともに、前記空気熱交換器の空気流入側における前記吐出短管から吐出される空気が直接吹き付けられる部分に、この吐出短管から吐出される空気を分散させるための整流板を取り付けてなる空気調和装置。
【請求項２】
前記駆動用モータを、その回転軸が垂直となるように設けてなる請求項１に記載の空気調和装置。
【発明の詳細な説明】
【０００１】
【発明の属する技術分野】
本発明はビル等の冷房や暖房を行う空気調和装置に関する。
【０００２】
【従来の技術とその問題点】
ビル等の空調を行うための空気調和装置はビルの床面積を有効に利用できるよう、できるだけ小型化することが望まれている。
従来の空気調和装置は、例えば図３に示す構造のものがあり、吸気口３１からケーシング３２内に流入した空気はエアフィルタ３３、送風装置３４、空気熱交換器３５、加湿器３６を経て排気口３７から送り出されるようになっており、前記送風装置３４はファン３８と駆動用のモータ３９で構成されている。
【０００３】
送風装置３４はファン３８と駆動用モータ３９が並ぶ方向の長さが大であり、上述した従来の空気調和装置では送風装置３４のファン３８とモータ３９が横並びに配設されているので、空気調和装置の横幅が大となっている。
また、図４、５に示す従来の空気調和装置の場合は送風装置４０のファン４１とモータ４２が前後方向に配設されているので、空気調和装置の奥行きが大となっている。
【０００４】
さらに、図４、５に示すものでは送風装置４０の吐出口と空気熱交換器３５の間隔が狭いと、送風装置４０からの空気は空気熱交換器３５の一部に集中して吹き付けられて熱交換効率が低下するので、送風装置４０から吐出される空気を空気熱交換器３５へ均一に吹き付けるようにするには大容積のエアチャンバ４３を設けて送風装置４０の吐出口と空気熱交換器３５の間隔をあけねばならず、その分、空気調和装置の横幅も大となっている。
【０００５】
【発明の目的】
本発明の目的とするところは、装置の横幅および奥行きが小で、しかも送風装置からの空気が空気熱交換器全体へ均等に吹き付けられて熱交換不良が生じることのない空気調和装置を提供することにある。
【０００６】
【手段】
上記目的を達成するために、本発明に係る空気調和装置は、上面に吸気口と排気口を有するケーシング内を、下部が開口する縦仕切板により吸気口側と排気口側とに区画し、前記縦仕切板の開口下部における吸気口側にエアチャンバを、同排気口側に空気熱交換器をそれぞれ設け、駆動用モータの回転軸にファンが取り付けられて空気を水平に吐出する送風装置の吐出口に吐出短管の一端を取り付け、同吐出短管の他端を前記エアチャンバ内に臨ませて前記空気熱交換器の空気流入側に相対させるとともに、前記空気熱交換器の空気流入側における前記吐出短管から吐出される空気が直接吹き付けられる部分に、この吐出短管から吐出される空気を分散させるための整流板を取り付け、また前記駆動用モータを、その回転軸が垂直となるように設けた構造のものとしてある。
【０００７】
【実施例】
以下、本発明に係る空気調和装置の実施例を添付図面に示す具体例に基づいて詳細に説明する。
上面に吸気口１と排気口２を有するケーシング３内は、下部開口４ａを有する縦仕切板４によって吸気口側と排気口側とに区画されていて、ケーシング内には吸気口１、エアフィルタ５、送風装置６、エアチャンバ７、空気熱交換器８、加湿器９を経て排気口２に至る空気通路が形成されている。
【０００８】
送風装置６はファン１０とこのファンを駆動するモータ１１で構成されていて、駆動用モータは回転軸が垂直となるよう設けられており、このモータの回転軸にファンが取り付けられていて、空気はファンの吐出口１０ｂから水平に吐出されるようになっている。
【０００９】
ファン１０の吐出口１０ｂには吐出短管１２の一端が取り付けられていて、この吐出短管の他端がエアチャンバ７内に臨んでおり、このエアチャンバ７は縦仕切板４の下部開口４ａを覆うよう設けられている。
【００１０】
空気熱交換器８の空気流入側には、例えばパンチングメタルよりなる整流板１３が取り付けられている。この整流板１３は空気熱交換器の空気流入側全面に取り付けられているのではなく、前記吐出短管１２から吐出される空気が直接吹き付けられる部分に取り付けられていて、吐出短管からの吐出空気を分散させることにより、吐出空気を空気熱交換器の全面に均等に流入させるためのものとしてある。
【００１１】
空気熱交換器８は縦仕切板４の下部開口４ａを挟んで前記エアチャンバ７の反対側に設けられていて、この空気熱交換器は冷房時に外部から冷水が供給されて空気を冷却する冷水コイル８ａと、暖房時に外部から温水が供給されて空気を加温する温水コイル８ｂを備えている。
また、加湿器９には外部から空気加湿用の水が供給されて、空調空気を所要の湿度に加湿するようになっている。
【００１２】
次に上述のように構成された本発明に係る空気調和装置の作用を説明する。
吸気口１からケーシング３内に吸入された空気（外気または被空調室からの還気）は、エアフィルタ５で塵埃が除去され、ファン１０の吸気口１０ａから吐出口１０ｂ、吐出短管１２を経てエアチャンバ７内に吹き出される。
【００１３】
この際、ファンからの吐出空気は吐出短管１２により圧力損失が防止される。エアチャンバ７内に吹き出された空気は整流板１３に吹き付けられ、その一部は整流板の小孔を通って空気熱交換器８へ流れ込み、残りの空気は整流板の側方へ拡がって整流板を通らずに空気熱交換器へ流れ込む。
【００１４】
したがって、吐出短管１２から吹き出された空気は空気熱交換器の一部に集中して流れ込むようなことがなく、風圧が分散されて空気熱交換器の吸入側全面に均一に流れ込む。
【００１５】
エアチャンバ７からの空気は空気熱交換器８において、冷房時には冷水コイル８ａで冷却され、暖房時には温水コイル８ｂで加温され、加湿器９で所要の湿度に加湿されて排気口２からダクト等を介して被空調室へ送られる。
【００１６】
【発明の作用、効果】
本発明に係る空気調和装置は上述した構造のものとしてあるので、次の作用、効果を奏し得る。
吸気口からの空気は送風装置によりエアチャンバ内に送られ、空気熱交換器で所要の温度に冷却または加温されて排気口から被空調室へ送られる。
【００１７】
送風装置はファンが水平面で回転するように設けられているので、ケーシング内における送風装置用のスペースはファンの横幅および奥行き分あれば事が足り、ファンと駆動用モータが横並び、あるいは前後並びに配設された従来の空気調和装置の送風装置に比べて横幅および奥行きを格段に小なるものにすることができる。
【００１８】
また、空気熱交換器の空気流入側には送風装置からの空気が直接吹き付けられる部分に整流板を取り付けてあるので、送風装置からの空気が空気熱交換器の一部に集中して流れ込むようなことがなく、送風装置と空気熱交換器間の間隔をあまりとらなくても空気が空気熱交換器全体へ均等に流れ込み、熱交換効率の低下が防止される。
【００１９】
したがって、熱交換効率の低下を来すことなく空気調和装置を従来のものに比べて小型にすることができる。
【図面の簡単な説明】
【図１】本発明に係る空気調和装置の実施例を示す縦断正面図。
【図２】図１のII-II 線水平断面図。
【図３】従来の空気調和装置の一例を示す縦断正面図。
【図４】従来の空気調和装置の他の例を示す縦断正面図。
【図５】図５のV-V 線水平断面図。
【符号の説明】
１  吸気口
２  排気口
３  ケーシング
４  縦仕切板
５  エアフィルタ
６  送風装置
７  エアチャンバ
８  空気熱交換器
８ａ  冷水コイル
８ｂ  温水コイル
９  加湿器
１０  ファン
１０ａ  ファンの吸気口
１０ｂ  ファンの吐出口
１１  モータ
１２  吐出短管
１３  整流板
【図１】
0003805028.tif 000002
【図２】
0003805028.tif 000003
【図３】
0003805028.tif 000004
【図４】
0003805028.tif 000005
【図５】
0003805028.tif 000006